(57)【要約】      （修正有）【課題】スリッパ等の上履きの踵部分に容易に取りつけることが可能な消音効果を施すことのできる消音スポンジを提供することである。【解決手段】上履きの踵部に貼付する消音スポンジ１であって、スポンジ部分を有し、上履きの踵部の長さの２分の１〜３分の１の長さを有し、かつ前記踵部の形状に相似形状をなすとともに、その片面側に接着剤層３を設けるとともに、接着面を保護する剥離紙４を貼付したものである。【選択図】図１
0003112996.tif 000002
【実用新案登録請求の範囲】
【請求項１】
上履きの踵部に貼付する消音スポンジであって、上履きの踵部の長さの２分の１〜３分の１の長さを有し、かつ前記踵部の形状に相似形状をなすとともに、その片面側に接着剤層を設けるとともに、接着面を保護する剥離紙を貼付したことを特徴とする上履き用スポンジ。
【請求項２】
請求１記載の上履き用消音スポンジにおいて、その前端縁を傾斜面に形成したことを特徴とする上履き用消音スポンジ。
【考案の詳細な説明】
【技術分野】
【０００１】  本考案は、上履きで廊下を歩く時に発生する騒音を防止するための上履き用消音スポンジに関するものである。
［背景技術］【０００２】  本来、上履きでフローリング又は廊下の床面を歩くときに、足を下ろす時踵から床に着地して、前足、じょじょにつま先へと足の裏が進む、以上のような動きの中で、上履きの踵部が床に接するときにパタンと音が発生し、階段を下りるときなどは、歩くときよりもさらに大きな履物をたたきつけるような音がすることもある。これは他人に迷惑をかけることになる。特に、アパート生活、マンション生活など集団生活の中では他人に苦痛を与える原因ともなる。【０００３】  上履きに使用時における音を消す上履き構成については従来から種々提案されるところで、例えば、特許文献１に示される上履きが提案されており、すなはち、スリッパ本体の底の中央から踵の部分に嵌め込む構成を有している。この上履きでは踵のいちばん後ろにはスポンジがついてなく音を消すとゆう本来の目的には少しとおいものと考えられる。また、スポンジの底の面と履物の底の面が同一平面の位置の場合、スポンジの柔らかさで足が沈んでしまい不安定となる。スポンジに厚みを与えてバランスを取るとすれば、前に足を出すときに進行を妨げるストップ感を与える力が働いて、スムースな動きが出来ないとゆう不快がある、取り付け位置、厚み、この点は改良の必要がある。【０００４】  また、特許文献２としてスポンジを利用したサンダルがあるが、これは、履物本体の底の部分にゴム系材料を主体としてスポンジをその中に挟み込んで音を吸収させようとする物である。これでは、音を少ししか消すことは出来ない。しかも、それは、履きもの本体にすでに貼り付けて履物の一部になっている物であり、そもそも取り付け、または、取り替えは想定されていないものだ。【０００５】  消音スポンジの剥れ防止については、特許文献１にしめされている上履きではスポンジに厚みを与えているとすれば切り口が直角であることから、足を前に出すときにスポンジが引っ掛かりスムースに足が出にくくなる。これを繰り返すことで剥れやすくなる。これを解決することで、たびたび交換する手間がなくなる。
［特許文献１］特開平８−２９９００７号公報
［特許文献２］特開平２００２−２１９００２号公報
［考案の開示］
［考案が解決しようとする課題］【０００６】上履きで床の上を歩行する場合、足を下ろすときに、まず上履きの踵から先に床に着地しその時にパタパタと音を出してしまう。その後、前に足が出る。その自然的な動きと、後端部が足に支持されずに自由に動く上履きの構造からすると、踵部で床を叩打する動きをしている。歩行時におけるかかる騒音は家庭においても、マンション、集会所、病院、学校その他、他人の集まる所など、他人に迷惑をかけることになる。従って、スリッパの本来の動きに逆らうことなく問題を解決する方法としては、スリッパ等の上履きの踵部分に容易に取り付けることが可能な消音効果を施すことができる、消音スポンジを提供することである。【０００７】前述の課題を解決するための本考案に係る上履きの構成は、上履きの踵部に貼付する消音スポンジであって、上履きの踵部の長さの２分の１〜３分の１の長さを有し、かつ前記の踵部の形状に相似形状をなすとともに、その片面側に接着剤層を設けるとともに、接着面を保護する剥離紙を貼付した点に存するものである。【０００８】  また、本考案にかかる上履きの構成は、上履きの踵部に貼付する消音スポンジの前端縁を傾斜面に形成した点に存するものである。
［考案の効果］【０００９】  上述のように、本考案は上履きの踵部に消音スポンジを装着することによって音が出ず周りの人に迷惑をかけることなく静かな歩行が出来るようになる。しかも、音の程度は、実験することなくほとんどしない。【０００１０】  消音スポンジが床に触れるときに生じる刺激を和らげるために、その形状として前部に斜めの３０〜４５の角度を付けている。踵が床に触れ、離れるとゆう行程の時に滑らかに動行する働きをさせる効果がある。少しでも衝撃を少なくさせることが出来たのである。その結果剥れ難くなった。
【考案を実施するための最良の形態】
【０００１１】  本考案にかかる消音スポンジは、柔軟なスポンジ素材を用い、その形状として、上履きにおける踵部の後端部と相似する形状に形成し、かつ、その長さを上履きにおける踵部に相当する部分の長さの２分に１〜３分の１の長さにするものであって、これにより接地時における上履きの踵部による床面の衝突音を効果的に緩和することが可能となる。
また、消音スポンジとして使用時に体重が作用した時、スポンジの素材の柔軟性から圧縮され、扁平化するが、使用者に与える違和感、不安定感を与えることは好ましくなく、過度に厚く形成することは回避し、薄いものが好ましが、一方では、消音スポンジとしての耐久性を付与することも重要なものであり、これらの条件を満足させるものとして、特に限定するものではないが、約１５ｍｍの厚みに形成するのが望ましい。
さらに好ましくは、消音スポンジの前端縁を３０〜４５度の角度に形成するのが望ましく、これにより歩行時における消音スポンジと床の接触を最小ならしめ、抵抗感を減少せしめる効果を有する。
［実施例］【０００１２】  以下、添付図面によって実施例を説明する。
図示の実施例において、１は本考案にかかる消音スポンジであって、上履きの踵部の形状が円弧形状である場合に対応する形状の例を示すもので、これに限定されるものではなく、上履きの踵部の形状が角形の場合にあってはその形状に相似する形状に形成するものであることは勿論である。
消音スポンジ１を構成するスポンジ体２は全体形状を半円形に形成され、スポンジ体２の片面側に上履きの踵部に接着するための接着剤層３が形成されており、その表面に接着剤層を保護し、必要時に容易に剥がすことができる剥離紙４が貼着されている。消音スポンジ１を構成するスポンジ体２の全長Ｌ１は、図３にその例を示すように、消音効果を発揮するとともに、上履き６の踵部に消音スポンジ１を貼着した場合に歩行時の違和感を与えることのないように、上履きの踵部に相当する長さＬの１／２〜１／３の長さに形成するのが好ましく、また同様に、その厚みｔは約１５ｍｍに形成するのが好ましい。【０００１３】  また、消音スポンジ１を構成するスポンジ体２の前端縁を、接地面に対して約３０度〜４５度の傾斜角αを有する傾斜面５として形成することによって、歩行時において前端縁と床面との接触を最小化せしめ、摩擦による消音スポンジ１の摩耗を防止するとともに、接触による歩行に対する抵抗を減じる効果を有する。【０００１４】  その使用に際しては、図３に示すように、消音スポンジ１に貼着した剥離紙４を剥がし、接着剤層３を露出せしめ、上履きの踵部の後端縁と、半円形に形成された消音スポンジ１の後端縁が一致するようにして、強固に押し付けることにより上履きの踵部の後端に消音スポンジ１を貼り付け固定する。
【図面の簡単な説明】
【０００１５】  ［図１］本考案の消音スポンジの斜視図
［図２］本考案の消音スポンジの横図面
［図３］上履き全体から見た横図面
【符号の説明】
【０００１６】  １：消音スポンジ
２：スポンジ部分
３：接着剤層
４：剥離紙
５：傾斜面
６：上履き
【図１】
0003112996.tif 000003
【図２】
0003112996.tif 000004
【図３】
0003112996.tif 000005